【手続補正書】
【提出日】平成28年9月16日(2016.9.16)
【手続補正１】
【補正対象書類名】明細書
【補正対象項目名】発明の名称
【補正方法】変更
【補正の内容】
【発明の名称】情報処理システム、制御方法、及びプログラム
【手続補正２】
【補正対象書類名】明細書
【補正対象項目名】００１２
【補正方法】変更
【補正の内容】
【００１２】
そこで、本発明では上記課題を鑑み、広告用紙の内容の変更を容易に行うことが可能な情報処理システム、制御方法、及びプログラムを提供することを目的とする。
【手続補正３】
【補正対象書類名】明細書
【補正対象項目名】００１３
【補正方法】変更
【補正の内容】
【００１３】
上記課題を解決するための本発明は、読取装置を含む情報処理装置と、サーバがネットワークを介して通信可能な情報処理システムであって、前記情報処理装置は、前記読取装置による広告用紙の読み取りにより得られた商品情報を表示する表示手段と、前記商品情報を変更すべく、変更後の商品情報の入力を受け付ける受付手段と、前記受付手段により受け付けた変更後の商品情報を前記サーバへ送信する変更情報送信手段と、を備え、前記サーバは、前記広告用紙の商品情報を記憶する記憶手段と、前記変更情報送信手段によって送信された前記変更後の商品情報を受信する変更情報受信手段と、前記変更情報受信手段で受信した変更後の商品情報と、前記記憶手段に記憶された変更前の商品情報とを比較する変更内容比較手段と、前記変更内容比較手段で比較した内容に応じて、広告用紙に付加する付加情報を決定する付加情報決定手段と、を備えたことを特徴とする。
【手続補正４】
【補正対象書類名】明細書
【補正対象項目名】００１４
【補正方法】変更
【補正の内容】
【００１４】
本発明によれば、広告用紙の内容の変更を容易に行うことができる、という効果を奏する。
【手続補正５】
【補正対象書類名】特許請求の範囲
【補正対象項目名】全文
【補正方法】変更
【補正の内容】
【特許請求の範囲】
【請求項１】
読取装置を含む情報処理装置と、サーバがネットワークを介して通信可能な情報処理システムであって、
前記情報処理装置は、
前記読取装置による広告用紙の読み取りにより得られた商品情報を表示する表示手段と、
前記商品情報を変更すべく、変更後の商品情報の入力を受け付ける受付手段と、
前記受付手段により受け付けた変更後の商品情報を前記サーバへ送信する変更情報送信手段と、
を備え、
前記サーバは、
前記広告用紙の商品情報を記憶する記憶手段と、
前記変更情報送信手段によって送信された前記変更後の商品情報を受信する変更情報受信手段と、
前記変更情報受信手段で受信した変更後の商品情報と、前記記憶手段に記憶された変更前の商品情報とを比較する変更内容比較手段と、
前記変更内容比較手段で比較した内容に応じて、広告用紙に付加する付加情報を決定する付加情報決定手段と、
を備えたことを特徴とする情報処理システム。
【請求項２】
前記サーバは、前記付加情報決定手段で決定した付加情報と、前記変更情報受信手段で受信した変更後の商品情報とを用いて、新たな広告用紙の出力データの作成を行う作成手段を備えたことを特徴とする請求項１に記載の情報処理システム。
【請求項３】
前記サーバは、
前記変更内容比較手段で比較した内容に応じて、広告用紙に付加する複数の付加情報を取得する付加情報取得手段を更に備え、
前記付加情報決定手段は、前記付加情報取得手段により取得された複数の付加情報から選択された付加情報を広告用紙に付加する付加情報として決定する
ことを特徴とする請求項１または２に記載の情報処理システム。
【請求項４】
前記サーバは、
前記付加情報取得手段により取得した複数の付加情報を送信する付加情報送信手段を更に備え、
前記情報処理装置は、
前記複数の付加情報を受信する付加情報受信手段と、
前記受付手段により受け付けた変更後の商品情報と、前記付加情報受信手段により受信した複数の付加情報とを表示する付加情報表示手段と、
前記複数の付加情報で使用する付加情報を選択する付加情報選択手段と、
を更に備えることを特徴とする請求項３に記載の情報処理システム。
【請求項５】
前記商品情報は、商品の値段にかかる情報を含み、
前記付加情報決定手段は、前記変更内容比較手段によって、前記変更情報受信手段で受信した前記変更後の商品情報と前記変更後の商品情報に対する前記変更前の商品情報とを比較し、値段が下がったと判断した場合は、前記広告用紙に対して値下げを示す付加情報を付加することを決定することを特徴とする請求項１乃至４の何れか１項に記載の文書変更システム。
【請求項６】
前記商品情報は、商品の販売に関わる期間にかかる情報を含み、
前記付加情報決定手段は、前記変更内容比較手段によって、前記情報受信手段で受信した前記変更後の商品情報と前記変更後の商品情報に対する前記変更前の商品情報と比較し、期間に変更があったと判断した場合は、前記広告用紙に対して期間変更を示す付加情報を付加することを決定することを特徴とする請求項１乃至５のいずれか１項に記載の情報処理システム。
【請求項７】
前記商品情報は、商品にかかる情報を含み、
前記記憶手段は、商品に対応して前記商品情報にかかる情報を記憶し、
前記付加情報決定手段は、前記変更内容比較手段によって、前記変更情報受信手段で受信した前記変更後の商品情報にかかる商品が、前記記憶手段に存在しない場合は、前記広告用紙に対して新商品を示す付加情報を付加することを決定することを特徴とする請求項１乃至６のいずれか１項に記載の情報処理システム。
【請求項８】
読取装置を含む情報処理装置と、サーバがネットワークを介して通信可能な情報処理システムの制御方法であって、
前記情報処理装置は、
前記情報処理装置の表示手段が、前記読取装置による広告用紙の読み取りにより得られた商品情報を表示する表示ステップと、
前記情報処理装置の受付手段が、前記商品情報を変更すべく、変更後の商品情報の入力を受け付ける受付ステップと、
前記情報処理装置の変更情報送信手段が、前記受付ステップにより受け付けた変更後の商品情報を前記サーバへ送信する変更情報送信ステップと、
を含み、
前記サーバは、
前記サーバの記憶手段が、前記広告用紙の商品情報を記憶する記憶ステップと、
前記サーバの変更情報受信手段が、前記変更情報送信ステップによって送信された前記変更後の商品情報を受信する変更情報受信ステップと、
前記サーバの変更内容比較手段が、前記変更情報受信ステップで受信した変更後の商品情報と、前記記憶ステップにおいて記憶された変更前の商品情報とを比較する変更内容比較ステップと、
前記サーバの付加情報決定手段が、前記変更内容比較ステップで比較した内容に応じて、広告用紙に付加する付加情報を決定する付加情報決定ステップと、
を含むこと
を特徴とする情報処理システムの制御方法。
【請求項９】
読取装置を含む情報処理装置と、サーバがネットワークを介して接続可能な情報処理システムで読取実行可能なプログラムであって、
前記情報処理装置を、
前記読取装置による広告用紙の読み取りにより得られた商品情報を表示する表示手段と、
前記商品情報を変更すべく、変更後の商品情報の入力を受け付ける受付手段と、
前記受付手段により受け付けた変更後の商品情報を前記サーバへ送信する変更情報送信手段と、
して機能させ、
前記サーバを、
前記広告用紙の商品情報を記憶する記憶手段と、
前記変更情報送信手段によって送信された前記変更後の商品情報を受信する変更情報受信手段と、
前記変更情報受信手段で受信した変更後の商品情報と、前記記憶手段に記憶された変更前の商品情報とを比較する変更内容比較手段と、
前記変更内容比較手段で比較した内容に応じて、広告用紙に付加する付加情報を決定する付加情報決定手段と、
して機能させることを特徴とするプログラム。